(57)【要約】本開示は、施設内等の空間において病原体が存在する可能性が高い場所を優先的に検出の対象領域とすることができる自走式病原体検出装置を提供する。本開示による自走式病原体検出装置（１０）は、筐体と、病原体を検出する検出部（１６）と、筐体を移動させる移動機構（１２）と、空間における筐体の現在位置を示す位置情報を取得する位置取得部（１３）と、空間における人の動線情報に基づいて当該空間における対象領域を決定し、位置情報に基づいて、対象領域内で筐体を移動させるように移動機構（１２）を制御する制御部（１４）とを備え、検出部（１６）は、対象領域内において病原体を検出する。
2019106980.tif 000002
【特許請求の範囲】
【請求項１】
筐体と、
病原体を検出する検出部と、
前記筐体を移動させる移動機構と、
空間における前記筐体の現在位置を示す位置情報を取得する位置取得部と、
前記空間における人の動線情報に基づいて当該空間における対象領域を決定し、前記位置情報に基づいて、前記対象領域内で前記筐体を移動させるように前記移動機構を制御する制御部とを備え、
前記検出部は、前記対象領域内において病原体を検出する
自走式病原体検出装置。
【請求項２】
さらに、前記筐体が前記空間内を移動しているときに人の存否を検出する人感センサを備え、
前記人の動線情報は、前記空間を複数の単位領域に分割した場合に、前記複数の単位領域それぞれにおいて前記人感センサによって人の存在が検出された回数を含む
請求項１に記載の自走式病原体検出装置。
【請求項３】
前記制御部は、前記人感センサによって人の存在が検出された回数が多い前記単位領域ほど優先的に前記対象領域に含める
請求項２に記載の自走式病原体検出装置。
【請求項４】
さらに、記憶部を備え、
前記制御部は、
前記人感センサによって人の存在が検出されたときの前記位置情報を人検出位置情報として前記記憶部に記憶し、
前記人検出位置情報に基づいて前記人の動線情報をアップデートする
請求項２または３に記載の自走式病原体検出装置。
【請求項５】
さらに、前記病原体を不活化するための浄化処理を行う浄化部を備える
請求項１〜４のいずれか１項に記載の自走式病原体検出装置。
【請求項６】
前記浄化部は、前記浄化処理として次亜塩素酸水を噴霧する処理を行う
請求項５に記載の自走式病原体検出装置。
【請求項７】
前記検出部は、さらに、前記病原体の濃度を検出し、
前記浄化部は、検出された前記病原体の濃度に応じて前記浄化処理の内容を変更する
請求項５または６に記載の自走式病原体検出装置。
【請求項８】
前記制御部は、前記移動機構を制御することにより、前記検出部によって前記病原体が検出された検出位置に前記筐体を停止させ、
前記浄化部は、前記検出位置に停止した状態で前記浄化処理を行う
請求項５〜７のいずれか１項に記載の自走式病原体検出装置。
【請求項９】
前記浄化部は、前記検出部によって検出される前記病原体の濃度が所定濃度よりも低くなるまで前記浄化処理を継続し、
前記制御部は、前記検出部によって検出される前記病原体の濃度が前記所定濃度よりも低くなった場合に、前記移動機構を制御することにより前記筐体を前記検出位置から移動させる
請求項８に記載の自走式病原体検出装置。
【請求項１０】
自走式病原体検出装置と、
制御端末とを備え、
前記自走式病原体検出装置は、
筐体と、
病原体を検出する検出部と、
前記筐体を移動させる移動機構と、
空間における前記筐体の現在位置を示す位置情報を取得する位置取得部と、
前記移動機構を制御する制御部と、
第１無線通信部とを備え、
前記制御端末は、
前記空間における人の動線情報に基づいて当該空間における対象領域を決定する端末制御部と、
決定された前記対象領域を示す情報を前記第１無線通信部に送信する第２無線通信部とを備え、
前記制御部は、前記位置情報に基づいて、前記第１無線通信部によって受信された前記情報により特定される前記対象領域内で前記筐体を移動させるように前記移動機構を制御し、
前記検出部は、前記対象領域内において病原体を検出する
病原体検出システム。
【請求項１１】
自走式病原体検出装置の制御方法であって、
空間における前記自走式病原体検出装置の現在位置を示す位置情報を取得し、
前記空間における人の動線情報に基づいて当該空間における対象領域を決定し、
前記位置情報に基づいて、決定された前記対象領域内で前記自走式病原体検出装置を移動させ、
前記自走式病原体検出装置が前記対象領域内に存在しているときに前記自走式病原体検出装置に病原体を検出させる
制御方法。
【発明の詳細な説明】
【技術分野】
【０００１】
本開示は、自走式病原体検出装置、病原体検出システム、及び、制御方法に関する。
【背景技術】
【０００２】
室内の空気質を改善する事を目的として、空気清浄機が利用されている。例えば、特許文献１には、消臭を目的とした自走式イオン発生機が開示されている。
【先行技術文献】
【特許文献】
【０００３】
【特許文献１】特開２０１３−１４８２４６号公報
【特許文献２】特開２０１５−１７８９９３号公報
【発明の概要】
【発明が解決しようとする課題】
【０００４】
ところで、介護施設、病院、または、学習塾などの人が集まる施設においては、インフルエンザウイルスなどの病原体を早期に検出し、検出した病原体を不活化することで病原体の感染拡大を抑止することができる。【０００５】
本開示は、施設内等の空間において病原体が存在する可能性が高い場所を優先的に検出の対象領域とすることができる自走式病原体検出装置等を提供する。
【課題を解決するための手段】
【０００６】
本開示の一態様に係る自走式病原体検出装置は、筐体と、病原体を検出する検出部と、前記筐体を移動させる移動機構と、空間における前記筐体の現在位置を示す位置情報を取得する位置取得部と、前記空間における人の動線情報に基づいて当該空間における対象領域を決定し、前記位置情報に基づいて、前記対象領域内で前記筐体を移動させるように前記移動機構を制御する制御部とを備え、前記検出部は、前記対象領域内において病原体を検出する。【０００７】
なお、これらの包括的または具体的な態様は、システム、方法、集積回路、コンピュータプログラムまたはコンピュータ読み取り可能なＣＤ−ＲＯＭなどの記録媒体で実現されてもよい。これらの包括的または具体的な態様は、システム、方法、集積回路、コンピュータプログラムおよび記録媒体の任意な組み合わせで実現されてもよい。
【発明の効果】
【０００８】
本開示の自走式病原体検出装置は、施設内等の空間において病原体が存在する可能性が高い場所を優先的に検出の対象領域とすることができる。
【図面の簡単な説明】
【０００９】
【図１】図１は、実施の形態に係る病原体検出システムの概要を示す図である。
【図２】図２は、実施の形態に係る自走式病原体検出装置の内部構造を模式的に示す図である。
【図３】図３は、実施の形態に係る病原体検出システムの機能構成を示すブロック図である。
【図４】図４は、対象領域の決定動作のフローチャートである。
【図５】図５は、家具等が配置された間取り図の一例である。
【図６】図６は、人検出位置情報の一例を示す図である。
【図７】図７は、人の動線情報を概念的に示す図である。
【図８】図８は、第１アルゴリズムに基づく対象領域の決定方法によって決定された対象領域を示す図である。
【図９】図９は、第２アルゴリズムに基づく対象領域の決定方法のフローチャートである。
【図１０】図１０は、対象領域として決定された３つのクラスタを示す図である。
【図１１】図１１は、病原体の検出動作のフローチャートである。
【図１２】図１２は、浄化処理の具体例のフローチャートである。
【図１３】図１３は、対象領域の更新動作のシーケンス図である。
【図１４】図１４は、帰還動作のフローチャートである。
【発明を実施するための形態】
【００１０】
（本開示の基礎となった知見）
従来の空気清浄機は、花粉、カビ、菌、または、ＰＭ２．５などのエアロゾルをターゲットとし、フィルタまたはイオン発生によりエアロゾルの除菌及び除去を行う。このような空気清浄機は通常、室内の角または窓際などの場所に据え置かれる。一方、このような据え置き型の空気清浄機に加えて、特許文献１に記載された自走式イオン発生機のように、自走式の空気清浄機も開発されている。
【００１１】
しかしながら、上記据え置き型の空気清浄機または自走式の空気清浄機が、介護施設、病院、または、学習塾などの人が集まる施設における感染性ウイルスの不活化に使用される場合、効率を上げることができない。
【００１２】
例えば、感染性ウイルスの一例であるインフルエンザウイルスは、感染者の咳またはくしゃみにより飛散する。つまり、インフルエンザウイルスは、感染者の居る場所を発生源としている。このため、インフルエンザウイルスを不活化するためには、人の行動パターン、または、施設内の人の動線などの情報を考慮することが非常に重要となる。
【００１３】
また、ウイルスの感染力が高い場合、感染者がウイルスを飛散してから短時間で周囲に存在する感受者が感染する可能性が高い。したがって、短時間でウイルスの不活化を行うことができなければ集団感染に至る可能性がある。特許文献１に記載された自走式のイオン発生機は消臭を目的としている為、このようなウイルスの感染状況は考慮されていない。
【００１４】
本開示は、以上のような事情を鑑みたものであり、インフルエンザウイルスなどの病原体を早期に検出し、検出した病原体不活化するための自走式病原体検出装置等を提供する。
【００１５】
本開示の一態様に係る自走式病原体検出装置は、筐体と、病原体を検出する検出部と、前記筐体を移動させる移動機構と、空間における前記筐体の現在位置を示す位置情報を取得する位置取得部と、前記空間における人の動線情報に基づいて当該空間における対象領域を決定し、前記位置情報に基づいて、前記対象領域内で前記筐体を移動させるように前記移動機構を制御する制御部とを備え、前記検出部は、前記対象領域内において病原体を検出する。
【００１６】
このような自走式病原体検出装置は、人の動線情報に基づいて人が存在することが多い領域を対象領域として病原体の検出を行うことができる。人が存在することが多い領域は、言い換えれば、人から排出される病原体が存在することが多い領域である。したがって、自走式病原体検出装置は、空間において病原体が存在する可能性が高い場所を優先的に検出の対象領域とすることができる。
【００１７】
また、例えば、前記自走式病原体検出装置は、さらに、前記筐体が前記空間内を移動しているときに人の存否を検出する人感センサを備え、前記人の動線情報は、前記空間を複数の単位領域に分割した場合に、前記複数の単位領域それぞれにおいて前記人感センサによって人の存在が検出された回数を含む。
【００１８】
このような自走式病原体検出装置は、人の動線情報に基づいて人が検出された回数が多い領域を対象領域として病原体の検出を行うことができる。したがって、自走式病原体検出装置は、空間において病原体が存在する可能性が高い場所を優先的に検出の対象領域とすることができる。
【００１９】
また、例えば、前記制御部は、前記人感センサによって人の存在が検出された回数が多い前記単位領域ほど優先的に前記対象領域に含める。
【００２０】
このような自走式病原体検出装置は、人の動線情報に基づいて人が検出された回数が多い領域を対象領域として病原体の検出を行うことができる。したがって、自走式病原体検出装置は、空間において病原体が存在する可能性が高い場所を優先的に検出の対象領域とすることができる。
【００２１】
また、例えば、前記自走式病原体検出装置は、さらに、記憶部を備え、前記制御部は、前記人感センサによって人の存在が検出されたときの前記位置情報を人検出位置情報として前記記憶部に記憶し、前記人検出位置情報に基づいて前記人の動線情報をアップデートする。
【００２２】
このような自走式病原体検出装置は、対象領域を人の動線情報の変化に応じて変更することができる。
【００２３】
また、例えば、前記自走式病原体検出装置は、さらに、前記病原体を不活化するための浄化処理を行う浄化部を備える。
【００２４】
このような自走式病原体検出装置は、病原体の検出に加えて、病原体の不活化を図ることができる。
【００２５】
また、例えば、前記浄化部は、前記浄化処理として次亜塩素酸水を噴霧する処理を行う。
【００２６】
このような自走式病原体検出装置は、次亜塩素酸水の噴霧により、病原体の不活化を図ることができる。
【００２７】
また、例えば、前記検出部は、さらに、前記病原体の濃度を検出し、前記浄化部は、検出された前記病原体の濃度に応じて前記浄化処理の内容を変更する。
【００２８】
このような自走式病原体検出装置は、検出された病原体の濃度が高いほど単位時間あたりに散布される次亜塩素酸水の量を増やすことにより、病原体の濃度が高い場合であっても短時間で病原体の不活化を行うことができる。
【００２９】
また、例えば、前記制御部は、前記移動機構を制御することにより、前記検出部によって前記病原体が検出された検出位置に前記筐体を停止させ、前記浄化部は、前記検出位置に停止した状態で前記浄化処理を行う。
【００３０】
このような自走式病原体検出装置は、停止した状態で浄化処理を行うことにより、病原体の不活化の確実性を高めることができる。
【００３１】
また、例えば、前記浄化部は、前記検出部によって検出される前記病原体の濃度が所定濃度よりも低くなるまで前記浄化処理を継続し、前記制御部は、前記検出部によって検出される前記病原体の濃度が前記所定濃度よりも低くなった場合に、前記移動機構を制御することにより前記筐体を前記検出位置から移動させる。
【００３２】
このような自走式病原体検出装置は、病原体の濃度が低くなるまで浄化処理を行うことにより、病原体の不活化の確実性を高めることができる。
【００３３】
また、本開示の一態様に係る病原体検出システムは、自走式病原体検出装置と、制御端末とを備え、前記自走式病原体検出装置は、筐体と、病原体を検出する検出部と、前記筐体を移動させる移動機構と、空間における前記筐体の現在位置を示す位置情報を取得する位置取得部と、前記移動機構を制御する制御部と、第１無線通信部とを備え、前記制御端末は、前記空間における人の動線情報に基づいて当該空間における対象領域を決定する端末制御部と、決定された前記対象領域を示す情報を前記第１無線通信部に送信する第２無線通信部とを備え、前記制御部は、前記位置情報に基づいて、前記第１無線通信部によって受信された前記情報により特定される前記対象領域内で前記筐体を移動させるように前記移動機構を制御し、前記検出部は、前記対象領域内において病原体を検出する。
【００３４】
このような病原体検出システムは、人の動線情報に基づいて人が存在することが多い領域を対象領域として病原体の検出を行うことができる。人が存在することが多い領域は、言い換えれば、人から排出される病原体が存在することが多い領域である。したがって、病原体検出システムは、空間において病原体が存在する可能性が高い場所を優先的に検出の対象領域とすることができる。
【００３５】
また、本開示の一態様に係る制御方法は、自走式病原体検出装置の制御方法であって、空間における前記自走式病原体検出装置の現在位置を示す位置情報を取得し、前記空間における人の動線情報に基づいて当該空間における対象領域を決定し、前記位置情報に基づいて、決定された前記対象領域内で前記自走式病原体検出装置を移動させ、前記自走式病原体検出装置が前記対象領域内に存在しているときに前記自走式病原体検出装置に病原体を検出させる。
【００３６】
このような制御方法によれば、自走式病原体検出装置は、人の動線情報に基づいて人が存在することが多い領域を対象領域として病原体の検出を行うことができる。人が存在することが多い領域は、言い換えれば、人から排出される病原体が存在することが多い領域である。したがって、自走式病原体検出装置は、空間において病原体が存在する可能性が高い場所を優先的に検出の対象領域とすることができる。
【００３７】
なお、これらの包括的または具体的な態様は、装置、システム、方法、集積回路、コンピュータプログラムまたはコンピュータ読み取り可能なＣＤ−ＲＯＭなどの記録媒体で実現されてもよい。これらの包括的または具体的な態様は、装置、システム、方法、集積回路、コンピュータプログラムおよび記録媒体の任意な組み合わせで実現されてもよい。
【００３８】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３９】
（実施の形態）
［概略構成］
まず、実施の形態に係る病原体検出システムの概略構成について説明する。図１は、実施の形態に係る病原体検出システムの概要を示す図である。図２は、実施の形態に係る自走式病原体検出装置の内部構造を模式的に示す図である。なお、図２では、主たる構成要素のみが図示されている。
【００４０】
病原体検出システム１００は、介護施設、病院、または、学習塾などの人が集まる室内空間を対象として、病原体の検出を行うシステムである。室内空間は、言い換えれば、平空間である。図１に示されるように、病原体検出システム１００は、自走式病原体検出装置１０と、充電器３０と、制御端末４０とを備える。
【００４１】
自走式病原体検出装置１０は、ロボット掃除機などと同様に、筐体１１の下部に配置されている一対の車輪１２ｂが回転することにより自走し、任意の場所に移動することができる。また、自走式病原体検出装置１０は、吸気口１５ａから筐体１１の内部に入り、排気口１５ｂから筐体１１の外部に排出される空気中に病原体が含まれるか否かを検出する。自走式病原体検出装置１０は、病原体が検出されると自走を停止し、病原体が検出された場所において、病原体を不活化するための浄化処理を行う。自走式病原体検出装置１０は、具体的には、浄化処理として噴霧口１７ｃから次亜塩素酸水を噴霧する。これにより、自走式病原体検出装置１０は、病原体の感染が拡大することを抑制することができる。
【００４２】
なお、自走式病原体検出装置１０は、蓄電池ユニット（図１及び図２で図示せず）を電源として動作し、充電器３０は、蓄電池ユニットを充電する。
【００４３】
また、自走式病原体検出装置１０は、施設内の部屋などの空間をくまなく移動して病原体を検出することもできるが、病原体を早期に検出し、検出した病原体不活化するためには、病原体が存在する可能性が高い場所を優先的に検出の対象領域とすることが必要となる。そこで、病原体検出システム１００においては、空間内の人の動線情報に基づいて病原体が存在する可能性が高いと考えられる対象領域を決定し、自走式病原体検出装置１０を対象領域内で優先的に移動させる。
【００４４】
これにより、病原体の早期検出が可能となる。なお、制御端末４０は、このような対象領域の決定処理などを行う情報端末である。以下、図１及び図２に加えて図３を参照しながら自走式病原体検出装置１０、充電器３０、及び、制御端末４０の詳細構成について説明する。図３は、病原体検出システム１００の機能構成を示すブロック図である。
【００４５】
［自走式病原体検出装置の構成］
まず、自走式病原体検出装置１０について説明する。図１〜図３に示されるように、自走式病原体検出装置１０は、筐体１１と、筐体１１に設けられた複数の構成要素を備える。筐体１１に設けられた複数の構成要素は、具体的には、移動機構１２と、位置取得部１３と、制御部１４と、捕集部１５と、検出部１６と、浄化部１７と、人感センサ１８と、無線通信部１９と、記憶部２０と、蓄電池ユニット２１と、接続端子部２２とである。
【００４６】
筐体１１は、自走式病原体検出装置１０が備える各構成要素が設けられる、自走式病原体検出装置１０の本体である。筐体１１は、例えば、平らな円柱状であるが、筐体１１の形状は特に限定されない。筐体１１の上面には、吸気口１５ａ及び噴霧口１７ｃが設けられている。また、筐体１１の側面には、排気口１５ｂが設けられている。
【００４７】
移動機構１２は、筐体１１、つまり、自走式病原体検出装置１０を移動させる。移動機構１２は、具体的には、車輪１２ｂと、車輪１２ｂを駆動する駆動回路１２ａとを備える。駆動回路１２ａには、例えば、車輪１２ｂを回転するためのモータ、及び、モータの制御回路などが含まれる。なお、自走式病原体検出装置１０は、例えば、一対の車輪１２ｂを備えるが、車輪１２ｂの数などは特に限定されない。移動機構１２は、一対の車輪１２ｂの回転数を調整することにより、自走式病原体検出装置１０をカーブ走行させることができる。
【００４８】
位置取得部１３は、空間における筐体１１の現在位置を示す位置情報を取得する。位置取得部１３は、例えば、赤外線などの不可視光、可視光、または、超音波などの被検出波を筐体１１の周囲に送信し、空間を規定する壁などで反射した被検出波を受信するセンサモジュールである。位置取得部１３は、被検出波を用いた位置推定アルゴリズムに基づいて位置情報を算出及び取得する。なお、位置情報は、例えば、充電器３０の位置を原点とした空間内の上面視における二次元座標であり、位置推定アルゴリズムは、例えば、被検出波を送信してから受信するまでの時間等を用いて上記二次元座標を算出するためのアルゴリズムである。具体的な位置推定アルゴリズムとしては、例えば、カルマンフィルタ、または、パーティクルフィルタなどのデータ同化手法が用いられる。
【００４９】
なお、位置取得部１３は、位置取得部１３自身が位置情報を算出及び取得する構成に限定されない。位置取得部１３は、自走式病原体検出装置１０の外部から位置情報を取得してもよい。この場合、位置取得部１３は、無線通信回路等によって実現される。無線通信回路は、言い換えれば、無線通信モジュールである。
【００５０】
制御部１４は、無線通信部１９が制御端末４０から受信した制御指令に基づいて、移動機構１２を制御する。これにより、自走式病原体検出装置１０は、空間内を移動する。また、制御部１４は、位置取得部１３、捕集部１５、検出部１６、浄化部１７、人感センサ１８、無線通信部１９、及び、蓄電池ユニット２１などを制御する。制御部１４は、例えば、マイクロコンピュータなどによって実現されるが、プロセッサまたは専用回路によって実現されてもよい。
【００５１】
捕集部１５は、空気中に浮遊している微粒子を吸引し、捕集する。捕集部１５は、具体的には、例えば、吸気用のファンまたはポンプを有し、吸気口１５ａから吸気した空気中の微粒子を捕集する。
【００５２】
検出部１６は、病原体を検出する。例えば、検出部１６は、筐体１１が対象領域内に存在しているときに病原体を検出する。検出部１６は、例えば、特許文献２に記載されているような表面増強ラマン散乱現象を利用した浮遊ウイルスの検出技術を用いて捕集部１５によって捕集された微粒子中の病原体を検出するセンサである。また、検出部１６は、病原体の濃度を検出することもできる。
【００５３】
なお、自走式病原体検出装置１０においては、捕集部１５及び検出部１６は、空気中を浮遊する微粒子に病原体が含まれているか否かを検出するが、検出部１６は、床面に付着した微粒子中に病原体が含まれているか否かを検出してもよい。この場合、捕集部１５は不要であり、検出部１６による検出方式には蛍光指紋などの光検出法が用いられればよい。
【００５４】
浄化部１７は、病原体を不活化するための浄化処理を行う。浄化部１７は、具体的には、次亜塩素酸水が貯蔵されるタンク１７ａと、タンク１７ａに貯蔵された次亜塩素酸水をミスト状にして散布する噴霧器１７ｂとを備える。つまり、浄化部１７は、浄化処理として次亜塩素酸水を噴霧する処理を行う。次亜塩素酸水は、噴霧口１７ｃから出される。噴霧口１７ｃは、筐体１１の上面に設けられているが、筐体１１の下面に設けられてもよい。この場合、浄化部１７は、主として空間の床面を浄化する。なお、浄化部１７は、次亜塩素酸水を散布する以外の方法で病原体の不活化を図ってもよい。
【００５５】
人感センサ１８は、人の存否を検出する。人感センサ１８は、例えば、筐体１１が空間内を移動しているときに人の存否を検出する。人感センサ１８は、例えば、赤外線量の変化に基づいて人の存否を検出する赤外線センサであるが、超音波に基づいて人の存否を検出するセンサであってもよい。人感センサ１８は、空間内の人検出位置情報の生成に用いられる。
【００５６】
無線通信部１９は、第１無線通信部の一例であり、自走式病原体検出装置１０が制御端末４０と無線通信を行うための無線通信回路である。無線通信回路は、言い換えれば、無線通信モジュールである。無線通信部１９は、例えば、制御端末４０の無線通信部４３と電波通信を行うが、赤外線通信などの光通信を行ってもよい。無線通信部１９が電波通信を行う場合の通信規格は、例えば、Ｂｌｕｅｔｏｏｔｈ（登録商標）、または、Ｗｉ−Ｆｉ（登録商標）などであるが、特に限定されない。
【００５７】
記憶部２０は、制御部１４の制御プログラムなどが記憶される記憶装置である。記憶部２０は、例えば、半導体メモリ等によって実現される。
【００５８】
蓄電池ユニット２１は、自走式病原体検出装置１０の電源部である。蓄電池ユニット２１は、例えば、リチウムイオン電池などの蓄電池、充電用回路、及び、放電用回路などを含む。自走式病原体検出装置１０は、蓄電池の蓄電残量がある限りは室内を自走することができる。
【００５９】
接続端子部２２は、自走式病原体検出装置１０を充電器３０に接続するための端子構造である。接続端子部２２は、例えば、筐体１１から外部に露出している。蓄電池ユニット２１は、接続端子部２２が充電器３０の接続端子部３１に接続されることで、充電器３０から接続端子部２２を介して蓄電池を充電するための電力の供給を受けることができる。
【００６０】
［充電器の構成］
充電器３０は、蓄電池ユニット２１内の蓄電池を充電するための装置である。充電器３０は、接続端子部３１と、電力制御部３２とを備える。
【００６１】
接続端子部３１は、自走式病原体検出装置１０を充電器３０に接続するための端子構造である。充電器３０は、接続端子部３１が自走式病原体検出装置１０の接続端子部２２に接続されることで、接続端子部３１を介して自走式病原体検出装置１０に電力を供給することができる。
【００６２】
電力制御部３２は、接続端子部３１を介した自走式病原体検出装置１０への電力の供給を制御する制御装置である。電力制御部３２は、例えば、電力系統から得られる交流電力を蓄電池ユニット２１の蓄電池の充電に適した直流電力に変換する回路などによって実現される。電力制御部３２は、マイクロコンピュータまたはプロセッサを含んでもよい。
【００６３】
［制御端末の構成］
制御端末４０は、自走式病原体検出装置１０を制御するための情報端末である。制御端末４０は、例えば、病原体検出システム１００専用の携帯端末であるが、スマートフォンまたはタブレット端末等の汎用の携帯端末であってもよいし、パーソナルコンピュータなどの汎用の据え置き型の端末であってもよい。制御端末４０が汎用の端末である場合、当該汎用の端末には、自走式病原体検出装置１０を制御するための専用アプリケーションがインストールされる。制御端末４０は、具体的には、入力受付部４１と、端末制御部４２と、無線通信部４３と、表示部４４と、記憶部４５とを備える。
【００６４】
入力受付部４１は、ユーザの入力を受け付ける。入力受付部４１は、具体的には、タッチパネルであるが、ハードウェアキーなどであってもよい。
【００６５】
端末制御部４２は、入力受付部４１が受け付けたユーザの入力に応じて、無線通信部４３及び表示部４４を制御する。端末制御部４２は、例えば、マイクロコンピュータなどによって実現されるが、プロセッサまたは専用回路によって実現されてもよい。
【００６６】
無線通信部４３は、第２無線通信部の一例であり、制御端末４０が自走式病原体検出装置１０と無線通信を行うための無線通信回路である。無線通信回路は、言い換えれば、無線通信モジュールである。無線通信部４３は、例えば、制御端末４０と電波通信を行うが、赤外線通信などの光通信を行ってもよい。無線通信部４３が電波通信を行う場合の通信規格は、例えば、Ｂｌｕｅｔｏｏｔｈ（登録商標）、または、Ｗｉ−Ｆｉ（登録商標）などであるが、特に限定されない。
【００６７】
無線通信部４３は、例えば、端末制御部４２の制御に基づいて、制御指令を自走式病原体検出装置１０の無線通信部１９に送信する。また、無線通信部４３は、自走式病原体検出装置１０の無線通信部１９から、自走式病原体検出装置１０の現在位置を示す位置情報、蓄電池の蓄電残量、及び、病原体の濃度などの情報を適宜受信する。
【００６８】
表示部４４は、端末制御部４２の制御に基づいて画像を表示する。表示部４４は、液晶パネルまたは有機ＥＬパネルなどの表示パネルによって実現される。
【００６９】
表示部４４は、無線通信部４３が自走式病原体検出装置１０から受信した、位置情報、蓄電池の蓄電残量、及び、病原体の濃度などの各種情報を表示する。これにより、ユーザは、自走式病原体検出装置１０の位置、及び、空間の状態を把握することができる。各種情報が無線通信部１９によってリアルタイムに送信され、表示部４４によって表示される場合、ユーザは、自走式病原体検出装置１０の位置、及び、空間の状態をリアルタイムに把握することができる。
【００７０】
記憶部４５は、端末制御部４２の制御プログラムなどが記憶される記憶装置である。また、記憶部４５には、無線通信部４３によって受信された各種情報も記憶される。記憶部４５は、例えば、半導体メモリ等によって実現される。
【００７１】
［対象領域の決定動作］
上述のように、病原体検出システム１００は、空間内の対象領域を移動し、当該対象領域における病原体を検出することができる。ここで、病原体検出システム１００における対象領域の決定動作について説明する。図４は、対象領域の決定動作のフローチャートである。
【００７２】
まず、制御端末４０の入力受付部４１は、空間の基本図面情報に関する入力をユーザから受け付ける（Ｓ１１）。基本図面情報は、例えば、空間の間取り図情報であり、基本図面情報に関する入力は、例えば、空間の間取り図情報の読み出しを指示する入力である。
【００７３】
次に、入力受付部４１は、家具及び充電器の配置に関する入力を受け付ける（Ｓ１２）。例えば、ユーザは、入力受付部４１を通じて、ステップＳ１１で読み出した間取り図に、部屋の出入り口、及び、扉などの境界条件を設定する。また、ユーザは、ソファ、机、及び、充電器などのアイコンをステップＳ１１で読み出した間取り図上に配置する。図５は、家具等が配置された間取り図の一例である。
【００７４】
図５の例では、間取り図によって示される空間は、３．４［ｍ］×３．４［ｍ］の６畳程度の広さである。間取り図には、出入り口１及び出入り口２が設定されている。また、間取り図上には、ソファ、机、及び、充電器が配置されている。
【００７５】
次に、入力受付部４１は、対象領域の決定方式を指定する入力を受け付ける（Ｓ１３）。病原体検出システム１００では、一例として、ユーザは、マニュアル方式、ランダム方式、及び、自動方式の３つの方式の中から１つを選択することができる。
【００７６】
入力受付部４１によってマニュアル方式を指定する入力が受け付けられると（Ｓ１３でマニュアル方式）、ユーザは、図５に示される間取り図上の所望の領域を対象領域として指定することができる。この場合、入力受付部４１は、対象領域を指定するユーザの入力をさらに受け付ける（Ｓ１４）。
【００７７】
入力受付部４１によってランダム方式を指定する入力が受け付けられると（Ｓ１３でランダム方式）、端末制御部４２は、ランダムに対象領域を決定する（Ｓ１５）。例えば、端末制御部４２は、充電器３０に所定の時間内に帰還できるルートをランダムに発生させ、当該ルートを対象領域とする。
【００７８】
入力受付部４１によって自動方式を指定する入力が受け付けられると（Ｓ１３で自動方式）、端末制御部４２は、記憶部４５を参照することにより、空間内の人の動線情報が記憶部４５に記憶されているか否かを判定する（Ｓ１６）。
【００７９】
人の動線情報は、自走式病原体検出装置１０の人感センサ１８によって人の存在が検出されたときの自走式病原体検出装置１０の位置情報である。人の動線情報は、人検出位置情報に基づいて生成される。図６は、人検出位置情報の一例を示す図である。自走式病原体検出装置１０は、１日１回などの所定の頻度で空間の隅から隅までをくまなく移動する人検出位置特定モードの動作を行う。自走式病原体検出装置１０の制御部１４は、移動中に人感センサ１８によって人の存在が検出されると、図６に示されるように人の存在が検出されたタイミング、及び、そのときの自走式病原体検出装置１０の現在位置を示す位置情報を人検出位置情報として記憶部２０に記憶する。位置情報は、例えば、充電器３０の位置を原点とする２次元座標であり、位置取得部１３は、例えば、自走式病原体検出装置１０が充電器３０に接続されているときに算出した２次元座標を０に校正する。制御部１４は、例えば、人検出位置特定モードの動作の終了時、または、人検出位置情報の要求が受信されたときに、動作中に得られた人検出位置情報をまとめて無線通信部１９に送信させる。
【００８０】
人検出位置情報は、制御端末４０の無線通信部４３によって受信され、記憶部４５に記憶される。端末制御部４２は、このような人検出位置情報を用いて、人の動線情報を生成する。図７は、人の動線情報を概念的に示す図である。
【００８１】
人の動線情報は、例えば、空間を複数のメッシュに分割した場合に、複数のメッシュそれぞれにおいて人感センサ１８によって人の存在が検出された回数を示す情報である。メッシュは、単位領域の一例である。図７に示されるように、メッシュは、例えば、空間をマトリクス状に分割した場合の１つの領域である。端末制御部４２は、人検出位置情報を参照してメッシュごとに人が検出された回数を集計する。図７に示されるメッシュ内の数字は、当該メッシュ内で人が検出された回数を示している。
【００８２】
このような人の動線情報は、記憶部４５に記憶される。しかしながら、例えば、自走式病原体検出装置１０の初回動作時には記憶部４５には人の動線情報は記憶されていない。このような場合（Ｓ１６でＮｏ）、端末制御部４２は、人の動線情報を用いず、ステップＳ１２において得られる家具等が配置された後の間取り図を用いた第１アルゴリズムに基づいて対象領域を決定する（Ｓ１７）。一方、記憶部４５に人の動線情報が記憶されている場合（Ｓ１６でＹｅｓ）、端末制御部４２は、人の動線情報を用いた第２アルゴリズムに基づいて対象領域を決定する（Ｓ１８）。
【００８３】
［第１アルゴリズムに基づく対象領域の決定］
次に、第１アルゴリズムに基づく対象領域の決定方法について説明する。図８は、第１アルゴリズムに基づく対象領域の決定方法によって決定された対象領域を示す図である。
【００８４】
まず、端末制御部４２は、空間において、ユーザによって入力された空間の出入り口１及び出入り口２を結ぶ折れ線状の対象領域を決定する。この折れ線状の対象領域は、複数の直線状の領域によって構成される。折れ線状の対象領域は、所定幅Ｗであり、当該折れ線状の領域の端が空間に配置されている家具などの障害物から所定の距離Ｄ以上離れるように構成される。所定の距離Ｄは、例えば、例えば３０ｃｍ程度である。このような構成は、人は障害物の極めて近辺ではなく少し離れた場所を往来するため病原体も障害物から少し離れた位置で排出されるという仮定に基づく。なお、所定幅及び所定距離は、入力受付部４１によって受け付けられたユーザの入力に応じて変更可能であってもよい。
【００８５】
なお、図８は、一例である。図８の例では、出入り口が１組であるため、１本の対象領域が設けられている。しかしながら、出入り口が３つ以上存在する場合には、端末制御部４２は、３つ以上の出入り口の中から選択された任意の２つの出入り口の組み合わせのそれぞれについて、同様の方法で折れ線状の対象領域を決定する。
【００８６】
［第２アルゴリズムに基づく対象領域の決定］
次に、第２アルゴリズムに基づく対象領域の決定方法について説明する。図９は、第２アルゴリズムに基づく対象領域の決定方法のフローチャートである。
【００８７】
まず、端末制御部４２は、記憶部４５に記憶された人の動線情報を読み出す（Ｓ２１）。上記図７を用いて説明したように、端末制御部４２は、例えば、空間を複数のメッシュに分割した場合の、複数のメッシュそれぞれにおける人感センサ１８によって人の存在が検出された回数を、人の動線情報として使用する。
【００８８】
次に、端末制御部４２は、読み出した人の動線情報に基づいて、空間のクラスタ化を行う（Ｓ２２）。端末制御部４２は、具体的には、読み出した人の動線情報によって定まる各メッシュにおける人の検出回数に基づいて、空間のクラスタ化を行う。端末制御部４２は、例えば、ｋ平均法などを用いて、空間のクラスタ化を行う。例えば、ｋ＝６としてクラスタ化が行われると、空間は、６つのクラスタにクラスタ化される。なお、ｋ平均法が用いられる場合には、例えば、ｋ＝３〜６程度である。ｋは、入力受付部４１によって受け付けられたユーザの入力に応じて変更可能であってもよい。
【００８９】
次に、端末制御部４２は、クラスタごとに当該クラスタに含まれる１以上のメッシュにおける人の検出回数を積算する（Ｓ２３）。積算は、言い換えれば、数値積分である。そして、端末制御部４２は、積算値が最も大きなクラスタから順に所定数ｎ（ｎ＜ｋ）のクラスタを選択し（Ｓ２４）、選択した所定数ｎのクラスタを対象領域として決定する（Ｓ２４）。なお、例えば、面積が最も大きなクラスタから順に所定数のクラスタが選択されてもよい。図１０は、対象領域として決定された３つのクラスタを示す図である。図１０に示されるクラスタ１、クラスタ２、及び、クラスタ３を合わせた領域が対象領域である。
【００９０】
以上のような第２アルゴリズムに基づく対象領域の決定方法によれば、端末制御部４２は、人感センサ１８によって人の存在が検出された回数が多いメッシュほど優先的に対象領域に含めることができる。つまり、自走式病原体検出装置１０は、人の動線情報に基づいて人が存在することが多い領域を対象領域として病原体の検出を行うことができる。人が存在することが多い領域は、言い換えれば、人から排出される病原体が存在することが多い領域である。したがって、自走式病原体検出装置１０は、空間において病原体が存在する可能性が高い場所を優先的に検出の対象領域とすることができる。
【００９１】
なお、第２アルゴリズムとして他のアルゴリズムが用いられてもよい。例えば、端末制御部４２は、人感センサ１８によって人の存在が検出された回数が所定数以上のメッシュを選択し、選択したメッシュを対象領域としてもよい。つまり、端末制御部４２は、人感センサ１８によって人の存在が検出された回数が所定数未満のメッシュを対象領域から除外してもよい。このようなアルゴリズムによっても、端末制御部４２は、人感センサ１８によって人の存在が検出された回数が多いメッシュほど優先的に対象領域に含めることができる。
【００９２】
［病原体の検出動作］
上述のいずれかの方式で対象領域が決定されると、自走式病原体検出装置１０は、病原体の検出動作を開始する。図１１は、病原体の検出動作のフローチャートである。
【００９３】
まず、自走式病原体検出装置１０の無線通信部１９は、対象領域を示す情報を制御端末４０の無線通信部４３から受信する（Ｓ３１）。対象領域を示す情報においては、例えば、充電器３０の位置を原点とした二次元座標で対象領域が示されている。受信された対象領域を示す情報は、例えば、記憶部２０に記憶される。
【００９４】
次に、位置取得部１３は、空間における筐体１１の現在位置を示す位置情報を取得する（Ｓ３２）。制御部１４は、位置情報に基づいて移動機構１２を制御することにより、筐体１１に決定された対象領域内で筐体１１を移動させる（Ｓ３３）。制御部１４は、具体的には、位置取得部１３によって取得された位置情報によって示される座標が対象領域内に属する範囲で筐体１１を移動させる。
【００９５】
なお、上記図１０の例では、対象領域と充電器３０の位置とは連続的でなく、つながっていない。充電器３０の位置が自走式病原体検出装置１０の移動開始点となる場合、自走式病原体検出装置１０は、対象領域のうち充電器３０の位置から最短のメッシュへ向かうとよい。また、対象領域のうち充電器３０の位置から最短のメッシュが複数存在する場合、複数のメッシュのうち人の検出回数が多いメッシュが優先される。また、人の検出回数も同じ場合には、先に特定されたメッシュが優先されればよい。
【００９６】
このように、筐体１１が対象領域内を移動しているときに、捕集部１５は空気中の微粒子の捕集を行い（Ｓ３４）、検出部１６は捕集された微粒子を対象として病原体の検出を行う（Ｓ３５）。なお、ステップＳ３４における微粒子の捕集は、筐体１１の移動中に行われてもよいし、筐体１１が停止した状態で行われてもよい。
【００９７】
次に、制御部１４は、検出された病原体の濃度が第一所定濃度を超えるか否かの判定を行う（Ｓ３６）。検出された病原体の濃度が第一所定濃度以下である場合（Ｓ３６でＮｏ）、位置情報を取得しながらの（Ｓ３２）対象領域内の移動が継続される（Ｓ３３）。
【００９８】
一方、検出された病原体の濃度が第一所定濃度を超える場合（Ｓ３６でＹｅｓ）、制御部１４は、検出部１６によって病原体が検出された病原体検出位置に筐体１１を停止させる（Ｓ３７）。そして、浄化部１７は、制御部１４の制御に基づいて、病原体検出位置に停止した状態で浄化処理を行う（Ｓ３８）。浄化部１７は、具体的には、浄化処理として次亜塩素酸水を噴霧する処理を行う。なお、ステップＳ３７の浄化処理は、移動中に行われてもよい。
【００９９】
捕集部１５は、浄化処理中、または、浄化処理が行われた後に、空気中の微粒子の捕集を行い（Ｓ３９）、検出部１６は、捕集された微粒子中の病原体の検出を行う（Ｓ４０）。また、制御部１４は、検出された病原体の濃度が第二所定濃度未満であるか否かの判定を行う（Ｓ４１）。第二所定濃度は、例えば、第一所定濃度よりも低い濃度であるが、第一所定濃度と等しくてもよい。
【０１００】
検出された病原体の濃度が第二所定濃度以上である場合（Ｓ４１でＮｏ）、浄化処理が継続される（Ｓ３８）。一方、検出された病原体の濃度が第二所定濃度未満である場合（Ｓ４１でＹｅｓ）、当該病原体検出位置における浄化処理は完了となる。制御部１４は、位置情報を取得しながら（Ｓ３２）対象領域内で筐体１１を再び移動させる（Ｓ３３）。つまり、浄化部１７は、検出部１６によって検出される病原体の濃度が第二所定濃度よりも低くなるまで浄化処理を継続し、制御部１４は、検出部１６によって検出される病原体の濃度が第二所定濃度よりも低くなった場合に、移動機構１２を制御することにより筐体１１を病原体検出位置から移動させる。
【０１０１】
なお、タンク１７ａ内に貯蔵された次亜塩素酸水の濃度が既知である場合、制御部１４は、次亜塩素酸水の濃度に基づいてＣＴ値を算出し、算出したＣＴ値から病原体の不活化に必要な次亜塩素酸水の散布時間を逆算することができる。この場合、ステップＳ３９及びステップＳ４０は省略され、ステップＳ４１においては散布時間が経過したか否かが判定されればよい。
【０１０２】
［浄化処理の具体例］
浄化部１７は、検出された病原体の濃度に応じて浄化処理の内容を変更してもよい。図１２は、このような浄化処理の具体例のフローチャートである。なお、図１２は、図１１のステップＳ３７において行われる具体的な処理を示している。
【０１０３】
制御部１４は、病原体の濃度が第一所定濃度よりも高く、かつ、第三所定濃度よりも低いか否かを判定する（Ｓ５１）。第三所定濃度は、第一所定濃度よりも高い濃度である。病原体の濃度が第一所定濃度よりも高く、かつ、第三所定濃度以下である場合（Ｓ５１でＹｅｓ）、浄化部１７は、制御部１４の制御に基づいて、弱運転モードで浄化処理を行う（Ｓ５２）。一方、病原体の濃度が第三所定濃度よりも高い場合（Ｓ５１でＮｏ）、浄化部１７は、制御部１４の制御に基づいて、強運転モードで浄化処理を行う（Ｓ５２）。
【０１０４】
強運転モードでは、例えば、弱運転モードよりも単位時間あたりに散布される次亜塩素酸水の量が多い。したがって、病原体の濃度が高い場合であっても短時間で病原体の不活化を行うことができる。なお、強運転モード及び弱運転モードでは、例えば、次亜塩素酸水の散布時間が異なってもよい。具体的には、強運転モードのでは、弱運転モードよりも長い時間、次亜塩素酸水の散布を行ってもよい。
【０１０５】
なお、図１２では、浄化処理の内容が２段階で変更されたが、浄化処理の内容は、例えば、弱運転モード、中運転モード、及び、強運転モードの３段階に変更されてもよいし、４段階以上に細かく変更されてもよい。
【０１０６】
［人の動線情報のアップデート］
上述のように、人の動線情報は、１日１回などの所定の頻度で行われる人検出位置特定モードの動作の結果得られる人検出位置情報に基づいてアップデートされる。図１３は、対象領域の更新動作のシーケンス図である。
【０１０７】
まず、自走式病原体検出装置１０は、人検出位置特定モードの動作を行う（Ｓ６１）。自走式病原体検出装置１０の制御部１４は、移動機構１２を制御することにより、自走式病原体検出装置１０に空間全体を順次移動させる。そして、制御部１４は、移動中に人の存在が検出されると、人の存在が検出された位置の位置情報を人検出位置情報として記憶部２０に記憶する。位置情報は、位置取得部１３によって取得される。
【０１０８】
その後、制御端末４０の端末制御部４２は、入力受付部４１が受け付けたユーザの入力等に基づいて、人検出位置情報の要求を無線通信部４３に送信させる（Ｓ６２）。なお、人検出位置情報の要求は、定期的に送信されてもよい。
【０１０９】
自走式病原体検出装置１０の無線通信部１９は、人検出位置情報の要求を受信する（Ｓ６３）。人検出位置情報の要求は、例えば、病原体の検出動作の開始を指示する制御指令に含まれるとよい。制御部１４は、受信された人検出位置情報の要求に応じてステップＳ６１において記憶部２０に記憶された人検出位置情報を読み出し、読み出した人検出位置情報を無線通信部１９に送信させる（Ｓ６４）。なお、人検出位置情報は、自走式病原体検出装置１０側から自発的に送信されてもよい。例えば、制御部１４は、定期的に人検出位置情報を無線通信部１９に送信させてもよい。
【０１１０】
制御端末４０の無線通信部４３は、人検出位置情報を受信する（Ｓ６５）。端末制御部４２は、人検出位置情報に基づき、記憶部４５に記憶された現在の人の動線情報をアップデートする（Ｓ６６）。具体的には、現在の人の動線情報における各メッシュの人の検出回数に、人検出位置情報における各メッシュの人の検出回数を加算する。このようなアップデート後の人の動線情報を用いて上記図９の対象領域の決定動作が行われれば、対象領域がアップデートされる。
【０１１１】
このように、人の動線情報がアップデートされれば、端末制御部４２は、対象領域を人の生活パターンの変化に応じて適応的に変更することができる。したがって、自走式病原体検出装置１０は、変更後の対象領域に対して病原体の検出動作を行うことにより、効率よく病原体の不活化を行うことができる。
【０１１２】
なお、人の動線情報のアップデートは、ユーザが設定した時間に行われてもよい。また、自走式病原体検出装置１０の稼働時に、前回稼働時の人検出情報に基づいてアップデートされてもよい。この場合、自走式病原体検出装置１０の稼働時に、前回の稼働日における各稼働時間帯の人の総検出数がメッシュにわたる数値積分により計算され、最も検出数の高い時間帯の人検出情報に基づいて人の動線情報のアップデートが行われる。
【０１１３】
［充電器への帰還動作］
自走式病原体検出装置１０は、病原体の検出動作中に蓄電池ユニット２１の蓄電池の蓄電残量が所定量よりも低下すると、自動的に充電器３０に帰還する帰還動作を行ってもよい。図１４は、帰還動作のフローチャートである。
【０１１４】
制御部１４は、上記図９の病原体の検出動作中に（Ｓ７１）、蓄電池ユニット２１の蓄電池の蓄電残量をモニタし、当該蓄電残量が所定量未満か否かを判定する（Ｓ７２）。所定量は、例えば、最大蓄電残量の１０％である。制御部１４は、蓄電残量が所定量以上であると判定すると（Ｓ７２でＮｏ）、病原体の検出動作を継続する。
【０１１５】
一方で、制御部１４は、蓄電残量が所定量未満であると判定すると（Ｓ７２でＹｅｓ）、移動機構１２を制御することにより、筐体１１を充電器３０に向かって移動させる（Ｓ７３）。そして、制御部１４は、筐体１１と充電器３０との距離が所定距離未満であるか否かを判定する（Ｓ７４）。
【０１１６】
制御部１４は、筐体１１と充電器３０との距離が所定距離以上であると判定すると（Ｓ７４でＮｏ）、筐体１１の充電器３０に向かう移動を継続する（Ｓ７３）。一方、制御部１４は、筐体１１と充電器３０との距離が所定距離未満であると判定すると（Ｓ７４でＹｅｓ）、充電器３０の接続端子部３１の探索を行い（Ｓ７５）、移動機構１２を制御することにより、自走式病原体検出装置１０の接続端子部２２が接続端子部３１に接続されるように筐体１１を移動させ、自走式病原体検出装置１０を充電器３０に接続する（Ｓ７６）。
【０１１７】
以上説明したような帰還動作によれば、自走式病原体検出装置１０が蓄電残量不足で停止してしまうことを抑制することができる。
【０１１８】
［変形例］
なお、上記実施の形態では、対象領域の決定、及び、人の動線情報の更新を制御端末４０の端末制御部４２が行ったが、対象領域の決定、及び、人の動線情報の更新は、自走式病原体検出装置１０の制御部１４が行ってもよい。例えば、制御部１４は、端末制御部４２に代わり、空間における人の動線情報に基づいて当該空間における対象領域を決定し、人検出位置情報に基づいて人の動線情報をアップデートしてもよい。この場合、制御端末は、主にユーザインターフェースとして機能し、自走式病原体検出装置の制御部が主体的に各種制御を行う。
【０１１９】
また、上記実施の形態では、病原体の検出動作は、自走式病原体検出装置１０の制御部１４が主体的に行ったが、病原体の検出動作は、制御端末４０の端末制御部４２によって主体的に行われてもよい。この場合、制御端末４０の端末制御部４２は、無線通信部４３に適宜制御指令を送信させることにより、自走式病原体検出装置１０を従属的に動作させる。
【０１２０】
（その他の実施の形態）
以上、実施の形態に係る病原体検出システムについて説明したが、本開示は、上記実施の形態に限定されるものではない。
【０１２１】
例えば、病原体検出システムが病原体の検出を行う空間は、例えば、介護施設、病院、または、病院の待合室などの室内空間であるが、その他の空間であってもよい。病原体検出システムが病原体の検出を行う空間は、空港であってもよい。また、病原体検出システムが病原体の検出を行う空間は、建屋に限らず、鉄道または飛行機など移動体内の空間であってもよい。
【０１２２】
また、病原体検出システムの検出対象となる病原体は、ウイルスに限定されない。例えば、病源体は、例えば、カビまたは細菌であってもよい。
【０１２３】
また、上記実施の形態において、特定の処理部が実行する処理を別の処理部が実行してもよい。また、複数の処理の順序が変更されてもよいし、複数の処理が並行して実行されてもよい。
【０１２４】
また、上記実施の形態において、制御処理部などの構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２５】
また、制御処理部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１２６】
また、本開示は、コンピュータ等によって実行される自走式病原体検出装置の制御方法、または、自走式病原体検出装置を用いた病原体の検出方法として実現されてもよい。本開示は、これらの方法をコンピュータに実行させるためのプログラムとして実現されてもよい。本開示は、当該プログラムが記録されたコンピュータ読み取り可能な非一時的な記録媒体として実現されてもよい。
【０１２７】
その他、各実施の形態に対して当業者が思いつく各種変形を施して得られる形態、または、本開示の趣旨を逸脱しない範囲で各実施の形態における構成要素及び機能を任意に組み合わせることで実現される形態も本開示に含まれる。
【産業上の利用可能性】
【０１２８】
本開示の病原体検出システムは、施設内等の空間において病原体が存在する可能性が高い場所を優先的に検出の対象領域とすることができる。本開示の病原体検出システムは、介護施設、病院、または、病院の待合室などの室内空間などにおいて病原体を早期に検出できる。
上記の開示内容から導出される発明の例が以下、列挙される。
１．自走式病原体検出装置であって、
筐体、
病原体を検出する検出部、
前記筐体を移動させる移動機構、
空間における前記筐体の現在位置を示す位置情報を取得する位置取得部、および
制御部
を具備し、
前記制御部は、プロセッサおよび記憶部を具備し、かつ、動作中に、
（ｉ）  前記空間における人の動線情報に基づいて前記空間における複数の単位領域から対象領域として選択された少なくとも１つの単位領域内で、前記位置取得部によって取得された位置情報に基づいて前記筐体を移動させるように前記移動機構を制御し、かつ
（ｉｉ）  前記対象領域内で前記病原体を検出するように前記検出部を制御する、
自走式病原体検出装置。
２．項目１に記載の自走式病原体検出装置であって、さらに
前記筐体が前記空間内を移動しているときに人の存否を検出するための人感センサを具備し、
ここで、
前記動線情報は、各単位領域において前記人感センサによって検出された人の数を含む、
自走式病原体検出装置。
３．項目２に記載の自走式病原体検出装置であって、
前記人感センサによって検出された人の数が所定の値以上である単位領域が前記対象領域として選択される、
自走式病原体検出装置。
４．項目２に記載の自走式病原体検出装置であって、
前記制御部は、前記人感センサによって前記人が検出されたときの前記位置情報を人検出位置情報として前記記憶部に記憶し、かつ
前記人検出位置情報に基づいて前記人の動線情報をアップデートする、
自走式病原体検出装置。
５．項目１に記載の自走式病原体検出装置であって、さらに
前記病原体を不活性化する浄化処理を行うための浄化部を具備している、
自走式病原体検出装置。
６．項目５に記載の自走式病原体検出装置であって、
前記浄化処理は、次亜塩素酸水溶液を噴霧することである、
自走式病原体検出装置。
７．項目５に記載の自走式病原体検出装置であって、
前記記憶部は、複数の浄化処理を記憶しており、
前記検出部は、前記検出部で検出された病原体の濃度を検出し、かつ
前記制御部は、前記病原体の濃度に応じて前記複数の浄化処理の中から少なくとも１つの浄化処理を選択する、
自走式病原体検出装置。
８．項目５に記載の自走式病原体検出装置であって、
前記検出部によって前記病原体が検出されたときに、前記制御部は前記検出部によって前記病原体が検出された検出位置に前記筐体を停止するように前記移動機構を制御し、かつ
前記浄化部は、前記検出位置に停止した状態で前記浄化処理を行う
自走式病原体検出装置。
９．項目５に記載の自走式病原体検出装置であって、
前記浄化部は、前記検出部によって検出される前記病原体の濃度が所定濃度よりも低くなるまで前記浄化処理を継続し、かつ
前記制御部は、前記検出部によって検出される前記病原体の濃度が前記所定濃度よりも低くなったときに、前記移動機構を制御することにより前記筐体を前記検出位置から移動させる、
自走式病原体検出装置。
１０．病原体検出システムであって、
自走式病原体検出装置、および
制御端末
を具備し、
ここで、
前記自走式病原体検出装置は、
筐体、
病原体を検出する検出部、
前記筐体を移動させる移動機構、
空間における前記筐体の現在位置を示す位置情報を取得する位置取得部、
前記移動機構を制御する制御部、および
第１無線通信部
を具備し、
前記制御端末は、
前記空間における前記人の動線情報に基づいて前記空間における複数の単位領域から少なくとも１つの単位領域を対象領域として選択する端末制御部、および
選択された前記対象領域を示す情報を前記第１無線通信部に送信する第２無線通信部
を具備し、
ここで、
前記制御部は、前記位置情報に基づいて、前記第１無線通信部によって受信された情報が示す選択された前記対象領域内で前記筐体を移動させるように前記移動機構を制御し、かつ
前記検出部は、前記対象領域内において病原体を検出する
病原体検出システム。
１１．自走式病原体検出装置の制御方法であって、
空間における前記自走式病原体検出装置の現在位置を示す位置情報を取得し、
前記空間における人の動線情報に基づいて当該空間における複数の単位領域から少なくとも１つの単位領域を対象領域として選択し、
前記位置情報に基づいて、選択された前記対象領域内で前記自走式病原体検出装置を移動させ、かつ
前記自走式病原体検出装置が前記対象領域内に存在しているときに前記自走式病原体検出装置に病原体を検出させる
制御方法。
【符号の説明】
【０１２９】
１０  自走式病原体検出装置
１１  筐体
１２  移動機構
１２ａ  駆動回路
１２ｂ  車輪
１３  位置取得部
１４  制御部
１５  捕集部
１５ａ  吸気口
１５ｂ  排気口
１６  検出部
１７  浄化部
１７ａ  タンク
１７ｂ  噴霧器
１７ｃ  噴霧口
１８  人感センサ
１９、４３  無線通信部
２０、４５  記憶部
２１  蓄電池ユニット
２２、３１  接続端子部
３０  充電器
３２  電力制御部
４０  制御端末
４１  入力受付部
４２  端末制御部
４４  表示部
１００  病原体検出システム
【図１】
2019106980.tif 000003
【図２】
2019106980.tif 000004
【図３】
2019106980.tif 000005
【図４】
2019106980.tif 000006
【図５】
2019106980.tif 000007
【図６】
2019106980.tif 000008
【図７】
2019106980.tif 000009
【図８】
2019106980.tif 000010
【図９】
2019106980.tif 000011
【図１０】
2019106980.tif 000012
【図１１】
2019106980.tif 000013
【図１２】
2019106980.tif 000014
【図１３】
2019106980.tif 000015
【図１４】
2019106980.tif 000016
【国際調査報告】
2019106980.tif 000017
2019106980.tif 000018
2019106980.tif 000019
2019106980.tif 000020